(57)【要約】      （修正有）【課題】蚊に直接接触させることなく、確実に蚊を撃退することができる蚊取り器を提供する。【解決手段】把持部１１と、把持部の先端部に設けられ、厚さ方向において重なるように把持部よりも幅広に形成された複数の面状捕獲部１３とを有し、面状捕獲部は、蚊の寸法よりも大きな間隔寸法を有して配設された複数のフレーム材１４により形成されている。把持部を把持して面状捕獲部を厚さ方向に振った場合、フレーム材間を空気が急速に通過することにより、フレーム材付近に乱気流が発生し、蚊を落とすことができる。【選択図】図１
0003195571.tif 000002
【実用新案登録請求の範囲】
【請求項１】
把持部と、前記把持部の先端部に設けられ、厚さ方向において重なるように前記把持部よりも幅広に形成された複数の面状捕獲部とを有し、前記面状捕獲部は、蚊の寸法よりも大きな間隔寸法を有して配設された複数のフレーム材により形成されていることを特徴とする蚊取り器。
【請求項２】
前記フレーム材は、把持部から放射状に設けられると共に、前記フレーム材の先端部を互いに連結する外周フレーム材を有することを特徴とする請求項１記載の蚊取り器。
【請求項３】
前記面状捕獲部は、基端部から先端部に至るに従って幅寸法が大きくなるように形成されていることを特徴とする請求項１記載の蚊取り器。
【請求項４】
前記面状捕獲部は、可撓性を有する素材により形成されていると共に３枚であることを特徴とする請求項１記載の蚊取り器。
【請求項５】
前記面状捕獲部は、前記複数のフレーム材が厚さ方向において互いに重複しないように配設されていることを特徴とする請求項４記載の蚊取り器。
【請求項６】
前記面状捕獲部は、網目により形成されていることを特徴とする請求項１記載の蚊取り器。
【考案の詳細な説明】
【技術分野】
【０００１】
本考案は、蚊を撃退するために用いる蚊取り器に関するものである。
【背景技術】
【０００２】
従来、害虫である蚊を撃退する方法として、殺虫剤の散布を行うか、または人が手で直接叩く程度の方法しかなかった。その理由は、蚊自体の大きさが小さいため、蚊が人の血液を吸うために体に止まっているとき以外には、物理的な手法によって撃退することが困難であるからである。
【０００３】
例えば、ハエたたきで蚊を叩く場合にあっては、叩く面の面積が小さいため叩きにくいという不具合があった。また、団扇で叩く場合にあっては、扇の面は空気が通過しないために風の抵抗が大きく、スピードが出ないことにより蚊に逃げられてしまう。そればかりか、扇の面によって生じた風に蚊が流され、特にダメージを受けることなく、気流にのって蚊を逃がしてしまうという場合もある。
【０００４】
上記不具合を解消するために、例えば特許文献１には、ラケットのフレーム部に捕虫網を設け、ラケットを振ることによって空中に飛翔している蚊を、捕虫網内に取り入れ捕獲除去できる蚊取り器が開示されている。
しかしながら、特許文献１に係る蚊取り器にあっては、蚊を捕獲するためのネットや粘着シートが必要であり、捕獲後の処理も大変であるという不具合があった。
【０００５】
また、特許文献２には、厚さ方向に２枚のネット部を備え、１枚目には粗めの網目を設け、蚊に対して直接振り下ろすことにより、網を蚊と直接衝突させ、また、蚊が粗めの網目をすり抜けたときは、２枚目の細かい網目によって捕獲することができる蚊取り器が開示されている。
また、特許文献３には、団扇状の輪に網を付け、網を蚊に接触させることで蚊を飛べなくさせる蚊取り器が開示されている。
しかしながら、特許文献２及び３に係る蚊取り器にあっては、蚊を網に直接接触させるという方法であるため、網目を細かくして接触確率を高めた場合にあっては、風の抵抗が大きく蚊が流されて蚊の除去効率が低下してしまうという不具合を生じていた。また、蚊が網に接触するため、衛生面での問題も生じていた。
【０００６】
本件出願人は、同様の観点から抽出した特許文献４も確認したが、いずれの公報所載の技術も、上記不具合を解消するには至っていない。
【特許文献１】特開２０００−１０６８０５号公報
【特許文献２】特開平１１−２９９４０８号公報
【特許文献３】特開平３−１８７７８号公報
【特許文献４】実開昭５４−５７１８４号公報
【考案の開示】
【考案が解決しようとする課題】
【０００７】
本考案は、以上のような従来からの不具合を解決するためのものであって、その課題は、蚊に直接接触させる必要がなく、確実に蚊を撃退することができる蚊取り器を提供することにある。
【課題を解決するための手段】
【０００８】
上記課題を解決するために、請求項１に記載の考案にあっては、把持部と、前記把持部の先端部に設けられ、厚さ方向において重なるように前記把持部よりも幅広に形成された複数の面状捕獲部とを有し、前記面状捕獲部は、蚊の寸法よりも大きな間隔寸法を有して配設された複数のフレーム材により形成されていることを特徴とする。
【０００９】
従って、前記把持部を把持して前記面状捕獲部を厚さ方向に振った場合には、前記フレーム材間を空気が急速に通過することにより、前記フレーム材付近に乱気流が発生する。
【００１０】
請求項２に記載の考案にあっては、前記フレーム材は、把持部から放射状に設けられると共に、前記フレーム材の先端部を互いに連結する外周フレーム材を有することを特徴とする。
【００１１】
従って、前記複数のフレーム材の基端部は前記把持部の先端部に収れんすると共に前記フレーム材の先端部が前記外周フレーム材に連結される。
【００１２】
請求項３に記載の考案にあっては、前記面状捕獲部は、基端部から先端部に至るに従って幅寸法が大きくなるように形成されていることを特徴とする。
【００１３】
従って、前記把持部を把持して前記面状捕獲部を厚さ方向に振った場合に、最も加速度が大きくなる前記面状捕獲部の先端部が広がって形成される。
【００１４】
請求項４に記載の考案にあっては、前記面状捕獲部は、可撓性を有する素材により形成されていると共に３枚であることを特徴とする。
【００１５】
従って、前記把持部を把持して前記面状捕獲部を厚さ方向に振った場合には、前記面状捕獲部が大きく撓む。
【００１６】
請求項５に記載の考案にあっては、前記面状捕獲部は、前記複数のフレーム材が厚さ方向において互いに重複しないように配設されていることを特徴とする。
【００１７】
従って、前記把持部を把持して前記面状捕獲部を厚さ方向に振った場合には、前記複数の面状捕獲部に配設された前記フレーム材ごとに、乱気流が発生する。
【００１８】
請求項６に記載の考案にあっては、前記面状捕獲部は、網目により形成されていることを特徴とする。
【００１９】
従って、前記面状捕獲部に配設された網目状のフレーム材の形状に沿って網目状に乱気流が発生する。
【考案の効果】
【００２０】
請求項１に記載の蚊取り器にあっては、前記把持部を把持して前記面状捕獲部を厚さ方向に振った場合には、前記フレーム材間を空気が急速に通過することにより、前記フレーム材付近に乱気流が発生するので、空気中を飛翔する蚊に向けて前記面状捕獲部を厚さ方向に振った場合には、前記フレーム材付近に発生する乱気流に蚊が巻き込まれ、蚊を落とすことができる。
【００２１】
請求項２に記載の蚊取り器にあっては、前記複数のフレーム材の基端部は前記把持部の先端部に収れんすると共に前記フレーム材の先端部が前記外周フレーム材に連結されるので、前記フレーム材の先端部及び基端部が支持固定され、前記面状捕獲部の剛性を高めることができる。
【００２２】
請求項３に記載の蚊取り器にあっては、前記把持部を把持して前記面状捕獲部を厚さ方向に振った場合に、最も加速度が大きくなる前記面状捕獲部の先端部が広がって形成されるので、広い範囲で効率良く蚊を落とすことができる。
【００２３】
請求項４に記載の蚊取り器にあっては、前記把持部を把持して前記面状捕獲部を厚さ方向に振った場合には、前記面状捕獲部が大きく撓むので、前記面状捕獲部の撓んだ部分はより大きな加速度を有するので、前記フレーム材付近に発生する乱気流が大きなものとなる。
【００２４】
請求項５に記載の蚊取り器にあっては、前記把持部を把持して前記面状捕獲部を厚さ方向に振った場合には、前記複数の面状捕獲部に配設された前記フレーム材ごとに、乱気流が発生するので、効率良く蚊を落とすことができる。
【００２５】
請求項６に記載の蚊取り器にあっては、前記面状捕獲部に配設された網目状のフレーム材の形状に沿って網目状に乱気流が発生するので、効率よく蚊を落とすことができる。
【図面の簡単な説明】
【００２６】
【図１】本考案に係る蚊取り器の一実施の形態を示す斜視図である。
【図２】本考案に係る蚊取り器の一実施の形態を示す側面図である。
【図３】本考案に係る蚊取り器の他の実施の形態を示した正面図である。
【考案を実施するための最良の形態】
【００２７】
以下、添付図面に示す実施の形態に基づき、本考案を詳細に説明する。
図１に示すように、本考案の一実施の形態に係る蚊取り器１０は、把持部１１と、把持部１１の先端部１２に設けられ、厚さ方向において重なるように把持部１１よりも幅広に形成された複数の面状捕獲部１３とを有し、面状捕獲部１３は、蚊の寸法よりも大きな間隔寸法を有して配設された複数のフレーム材１４により形成されている。
【００２８】
また、図１に示すように、フレーム材１４は、把持部１１から放射状に設けられると共に、フレーム材１４の先端部１５を互いに連結する外周フレーム材１６を有している。
また、図１に示すように、面状捕獲部１３は、基端部１７から先端部１８に至るに従って幅寸法が大きくなるように形成されている。また、面状捕獲部１３は、可撓性を有する素材により形成されていると共に３枚により構成されている。また、面状捕獲部１３は、複数のフレーム材１４が厚さ方向において互いに重複しないように配設されている。
【００２９】
また、図３においては、本考案の他の実施の形態に係る蚊取り器１９は、把持部１１と、把持部１１の先端部１２に設けられ、厚さ方向において重なるように把持部１１よりも幅広に形成された複数の面状捕獲部２０とを有し、面状捕獲部２０は、蚊の寸法よりも大きな間隔寸法を有して配設された複数のフレーム材１４により形成されると共に、網目２１により形成されている。
【００３０】
本実施の形態に係る蚊取り器１０の構成について、添付図面を用いてより詳細に説明する。
図１に示すように、本実施の形態に係る蚊取り器１０は合成樹脂による一体成型で形成され、把持部１１は棒状に形成されている。把持部１１の先端部１２に設けられた複数の面状捕獲部１３は、厚さ方向一端部側捕獲部１３ａ、厚さ方向中央部捕獲部１３ｂ、厚さ方向他端部側捕獲部１３ｃにより構成され、いずれも全体略円板状に形成されている。
【００３１】
図１及び図２に示すように、本実施の形態に係る複数の面状捕獲部１３ａ、１３ｂ、１３ｃは、基端部１７ａ、１７ｂ、１７ｃが把持部１１の先端部１２と一体に形成されている。また、面状捕獲部１３ａ、１３ｂ間及び１３ｂ、１３ｃ間における厚さ方向の間隔は、夫々、先端部１８ａ、１８ｂ、１８ｃに至るに従って、徐々に離間していくように設けられている。
従って、先端部１８ｂは把持部１１の軸方向に沿って真っ直ぐに配設され、先端部１８ａ及び１８ｃは、互いに厚さ方向における反対方向に反らせて形成されている。
【００３２】
また、図１に示すように、本実施の形態に係るフレーム材１４は、把持部１１の先端部１２にフレーム材１４の基端部２２が連設されている。フレーム材１４、１４の間隔寸法は、先端部１５に至るに従って、夫々、徐々に離間していくように設けられている。本実施の形態においては、少なくとも面状捕獲部１３の先端部１８付近において、フレーム材１４、１４の間隔が蚊の寸法よりも大きな間隔寸法を有するように配設されている。また、本実施の形態において、蚊の大きさは最大約１０ｍｍと想定している。
【００３３】
また、図１に示すように、本実施の形態に係る外周フレーム材１６は、全体略円弧状に形成され、フレーム材１４の先端部１５を互いに連結している。
また、把持部１１の先端部１２から所定寸法離間した外周フレーム材１６、１６間には、リブとしてのフレーム材補強部２３が複数のフレーム材１４と互いに略直交して外周フレーム材１６、１６間に架け渡すように設けられている。
【００３４】
また、図１に示すように、面状捕獲部１３ａ、１３ｂ、１３ｃに配設された複数のフレーム材１４は、面状捕獲部１３ａ及び１３ｂ、１３ｂ及び１３ｃの間で、夫々、厚さ方向において互いに重複しないようにピッチを異ならせて配設されている。
【００３５】
図３に示す本考案の他の実施の形態に係る蚊取り器１９の構成については、蚊取り器１０と同一の部材に同一の符号を付して説明を省略し、蚊取り器１０との相違点のみ詳細に説明する。
本実施の形態に係る蚊取り器１９にあっては、面状捕獲部２０を形成する網目２１は、外周フレーム材１６、１６間に、複数の横フレーム材２４が縦フレーム材１４と互いに略直交して外周フレーム材１６、１６間に架け渡すように蚊の寸法よりも大きな間隔寸法を有して配設され、形成されている。
網目２１の大きさは、縦フレーム材１４、１４間及び横フレーム材２４、２４間の間隔寸法によって規定され、少なくとも面状捕獲部２０の先端部２５付近において、網目２０の大きさが蚊の寸法よりも大きな寸法を有するように配設されている。
【００３６】
本実施の形態に係る蚊取り器１０の作用について、添付図面を用いて説明する。
本実施の形態に係る蚊取り器１０は、把持部１１を把持して面状捕獲部１３を厚さ方向に振って使用する。この場合、フレーム材１４、１４間を空気が急速に通過することにより、フレーム材１４付近に乱気流が発生するので、空気中を飛翔する蚊に向けて面状捕獲部１３を厚さ方向に振った場合には、フレーム材１４付近に発生する乱気流に蚊が巻き込まれ、蚊がフレーム材１４に直接当たらない場合であっても蚊を落とすことができる。
【００３７】
また、本実施の形態に係る蚊取り器１０にあっては、複数のフレーム材１４の基端部２２は把持部１１の先端部１２に収れんするように配設されていると共にフレーム材１４の先端部１５が外周フレーム材１６に連結されているので、フレーム材１４の先端部１５及び基端部２２が支持固定され、面状捕獲部１３の剛性を高めることができる。また、外周フレーム材１６は、全体略円弧状に形成されているので、尖鋭な部分がなく、使用者が怪我をするという事態を防止することができる。
【００３８】
また、本実施の形態に係る蚊取り器１０にあっては、把持部１１の先端部１２から所定寸法離間した外周フレーム材１６、１６間には、フレーム材補強部２３が複数のフレーム材１４と互いに略直交して外周フレーム材１６、１６間に架け渡すように設けられているので、フレーム材１４が確実に支持固定され、面状捕獲部１３の剛性をより高めることができる。
【００３９】
また、本実施の形態に係る蚊取り器１０にあっては、把持部１１を把持して面状捕獲部１３を厚さ方向に振った場合に、最も加速度が大きくなる面状捕獲部１３の先端部１８が広がって形成されるので、広い範囲で効率良く蚊を落とすことができる。
【００４０】
また、本実施の形態に係る蚊取り器１０にあっては、把持部１１を把持して面状捕獲部１３を厚さ方向に振った場合には、面状捕獲部１３が大きく撓むので、面状捕獲部１３の撓んだ部分はより大きな加速度を有するので、フレーム材１４付近に発生する乱気流が大きなものとなる。
さらには、フレーム材１４は、面状捕獲部１３ａ及び１３ｂ、１３ｂ及び１３ｃの間で、夫々、厚さ方向において互いに重複しないように配設されているので、３枚の面状捕獲部１３ａ、１３ｂ、１３のフレーム材１４ごとに発生した乱気流が相まって、より複雑な乱気流が生じ、効率良く蚊を落とすことができる。
【００４１】
また、図２に示すように、３枚の面状捕獲部１３ａ、１３ｂ、１３ｃは、面状捕獲部１３ａ、１３ｂ間及び１３ｂ、１３ｃ間における厚さ方向の間隔は、夫々、先端部１８ａ、１８ｂ、１８ｃに至るに従って、徐々に離間していくように設けられているので、面状捕獲部１３を振った場合には、厚さ方向一端部側捕獲部１３ａから厚さ方向他端部側捕獲部１３ｃに至る所定の空間に複雑な乱気流が発生し、蚊を効率よく落とすことができる。
【００４２】
また、図３に示すように、本実施の形態に係る蚊取り器１９にあっては、把持部１１を把持して面状捕獲部１３を厚さ方向に振った場合には、面状捕獲部２０に配設された網目２１を構成するフレーム材１４、１４、２４、２４に沿って乱気流が発生するので、効率よく蚊を落とすことができる。
【００４３】
本実施の形態に係る蚊取り器１０は、フレーム材１４が把持部１１から放射状に設けられると共に、フレーム材１４の先端部１５を互いに連結する外周フレーム材１６を有している場合を例に説明したが、上記構成に限定されない。
また、面状捕獲部１３は、基端部１７から先端部１８に至るに従って幅寸法が大きくなるように、可撓性を有する素材により形成されていると共に３枚であり、複数のフレーム材１４が厚さ方向において互いに重複しないように配設されている場合を例に説明したが、上記構成に限定されない。
【００４４】
また、本実施の形態に係る蚊取り器１９は、面状捕獲部２０が網目２１により形成されている場合を例に説明したが、上記構成に限定されず、蚊の寸法よりも大きな間隔寸法を有して配設された複数のフレーム材により形成されていればよい。
【産業上の利用可能性】
【００４５】
本考案は、蚊を撃退するために用いる蚊取り器に広く適用可能であり、産業上利用可能性を有している。
【符号の説明】
【００４６】
１０、１９：蚊取り器
１１：把持部
１２：把持部先端部
１３、２０：面状捕獲部
１４、２４：フレーム材
１５：フレーム材先端部
１６：外周フレーム材
１７：面状捕獲部基端部
１８、２５：面状捕獲部先端部
２１：網目
２２：フレーム材基端部
２３：フレーム材補強部
【図１】
0003195571.tif 000003
【図２】
0003195571.tif 000004
【図３】
0003195571.tif 000005